(57)【特許請求の範囲】
【請求項１】
ユーザが機能を利用した際の利用状況であって位置情報及び電池残量のうち少なくとも一つを含む利用状況の利用状況情報と、当該利用状況において互いに関連する機能それぞれの機能情報とを関連付けた関連機能テーブルを記憶する記憶手段と、
機能に対するグループ化指示を受け付ける受付手段と、
前記受付手段によって受け付けられたグループ化指示の対象である機能の機能情報及び当該グループ化指示がなされた際の前記利用状況の利用状況情報に基づいて、前記記憶手段によって記憶された関連機能テーブルから関連する機能情報を選択する選択手段と、
前記受付手段によって受け付けられたグループ化指示の対象である機能と、前記選択手段によって選択された機能情報が示す機能とをグループ化するグループ化手段と、
を備えることを特徴とする携帯端末。
【請求項２】
前記グループ化手段は、前記受付手段によって受け付けられたグループ化指示の対象である機能と、前記選択手段によって選択された機能情報が示す機能とについて、それぞれのショートカットアイコンを作成し、作成したショートカットアイコンをグループ化する、
ことを特徴とする請求項１に記載の携帯端末。
【請求項３】
機能を外部サーバから受信する機能受信手段を更に備え、
前記記憶手段は、前記機能受信手段によって受信された機能の機能情報を含む関連機能テーブルを記憶する、
ことを特徴とする請求項１又は２に記載の携帯端末。
【請求項４】
関連機能テーブルのレコード単位の情報であるレコード情報を外部サーバから受信するレコード情報受信手段を更に備え、
前記記憶手段は、前記レコード情報受信手段によって受信されたレコード情報を関連機能テーブルに追加して記憶する、
ことを特徴とする請求項１〜３の何れか一項に記載の携帯端末。
【請求項５】
携帯端末により実行される機能グループ化方法であって、
ユーザが機能を利用した際の利用状況であって位置情報及び電池残量のうち少なくとも一つを含む利用状況の利用状況情報と、当該利用状況において互いに関連する機能それぞれの機能情報とを関連付けた関連機能テーブルを記憶する記憶ステップと、
機能に対するグループ化指示を受け付ける受付ステップと、
前記受付ステップにおいて受け付けられたグループ化指示の対象である機能の機能情報及び当該グループ化指示がなされた際の前記利用状況の利用状況情報に基づいて、前記記憶ステップにおいて記憶された関連機能テーブルから関連する機能情報を選択する選択ステップと、
前記受付ステップによって受け付けられたグループ化指示の対象である機能と、前記選択ステップによって選択された機能情報が示す機能とをグループ化するグループ化ステップと、
を含むことを特徴とする機能グループ化方法。
【発明の詳細な説明】
【技術分野】
【０００１】
本発明は、携帯端末及び機能グループ化方法に関するものである。
【背景技術】
【０００２】
従来から、グラフィカルユーザインタフェースを備えた情報処理装置において、画面に表示されたアイコンやショートカットアイコンをユーザがダブルクリックする等して、各アイコンに対応するアプリケーションを起動する情報処理装置が知られている。例えば、特許文献１では、機能設定スイッチの操作で選択指定した機能を実行し終えると、その機能の起動を指示するショートカットアイコンが待受画面に自動的に登録され、登録されたショートカットアイコンがユーザによって操作されると、当該ショートカットアイコンに割当てられた機能を起動する機能呼出し装置が開示されている。
【先行技術文献】
【特許文献】
【０００３】
【特許文献１】特開２００５−１７３９６４号公報
【発明の概要】
【発明が解決しようとする課題】
【０００４】
ところで、関連する複数の機能について、それぞれのショートカットアイコンを作成し、それらをグループ化する場合がある。例えば、携帯電話端末において、プロフィール情報の赤外線送受信に関連する赤外線送信機能、赤外線受信機能及びプロフィール表示機能の３つの機能のショートカットアイコンを作成し、グループ化する場合が挙げられる。しかしながら、このような場合、ユーザが、関連する機能ごとにショートカットアイコンを作成し、グループ化する必要があり、手間がかかるという問題があった。
【０００５】
そこで、本発明は、かかる課題に鑑みて為されたものであり、関連する複数の機能のグループを容易に作成することができる携帯端末及び機能グループ化方法を提供することを目的とする。
【課題を解決するための手段】
【０００６】
上記課題を解決するため、本発明の携帯端末は、ユーザが機能を利用した際の利用状況であって位置情報及び電池残量のうち少なくとも一つを含む利用状況の利用状況情報と、当該利用状況において互いに関連する機能それぞれの機能情報とを関連付けた関連機能テーブルを記憶する記憶手段と、機能に対するグループ化指示を受け付ける受付手段と、受付手段によって受け付けられたグループ化指示の対象である機能の機能情報及び当該グループ化指示がなされた際の利用状況の利用状況情報に基づいて、記憶手段によって記憶された関連機能テーブルから関連する機能情報を選択する選択手段と、受付手段によって受け付けられたグループ化指示の対象である機能と、選択手段によって選択された機能情報が示す機能とをグループ化するグループ化手段と、を備える。
【０００７】
また、本発明の機能グループ化方法は、携帯端末により実行される機能グループ化方法であって、ユーザが機能を利用した際の利用状況であって位置情報及び電池残量のうち少なくとも一つを含む利用状況の利用状況情報と、当該利用状況において互いに関連する機能それぞれの機能情報とを関連付けた関連機能テーブルを記憶する記憶ステップと、機能に対するグループ化指示を受け付ける受付ステップと、受付ステップにおいて受け付けられたグループ化指示の対象である機能の機能情報及び当該グループ化指示がなされた際の利用状況の利用状況情報に基づいて、記憶ステップにおいて記憶された関連機能テーブルから関連する機能情報を選択する選択ステップと、受付ステップによって受け付けられたグループ化指示の対象である機能と、選択ステップによって選択された機能情報が示す機能とをグループ化するグループ化ステップと、を含む。
【０００８】
このような携帯端末及び機能グループ化方法によれば、互いに関連する機能について、各機能の機能情報を関連付けた関連機能テーブルが記憶され、機能に対するグループ化指示が受け付けられ、受け付けられたグループ化指示の対象である機能の機能情報に基づいて、記憶された関連機能テーブルから関連する機能情報が選択され、受け付けられたグループ化指示の対象である機能と、選択された機能情報が示す機能とがグループ化される。かかる構成を採れば、ユーザが機能に対するグループ化指示を行うだけで、関連する複数の機能のグループを容易に作成することができる。また、かかる構成を採れば、ユーザが機能に対するグループ化指示を行うだけで、その際の利用状況に基づいた、関連する複数の機能のグループを容易に作成することができる。
【０００９】
また、本発明のグループ化手段は、受付手段によって受け付けられたグループ化指示の対象である機能と、選択手段によって選択された機能情報が示す機能とについて、それぞれのショートカットアイコンを作成し、作成したショートカットアイコンをグループ化する、ことが好ましい。かかる構成を採れば、ユーザが機能に対するグループ化指示を行うだけで、関連する複数の機能のショートカットアイコンのグループを容易に作成することができる。
【００１１】
また、本発明の携帯端末は、機能を外部サーバから受信する機能受信手段を更に備え、記憶手段は、機能受信手段によって受信された機能の機能情報を含む関連機能テーブルを記憶する、ことが好ましい。かかる構成を採れば、例えば、世間でよく利用されている機能を受信し、関連機能テーブルに含めて記憶することで、世間でよく利用されている機能を含む、関連する複数の機能のグループを容易に作成することができる。それにより、ユーザに新たな気づきをもたらすことができる。
【００１２】
また、本発明の携帯端末は、関連機能テーブルのレコード単位の情報であるレコード情報を外部サーバから受信するレコード情報受信手段を更に備え、記憶手段は、レコード情報受信手段によって受信されたレコード情報を関連機能テーブルに追加して記憶する、ことが好ましい。かかる構成を採れば、例えば、世間でよく利用されている互いに関連する機能に関するレコード情報を受信し、関連機能テーブルに追加して記憶することで、世間でよく利用されている関連する複数の機能のグループを容易に作成することができる。それにより、ユーザに新たな気づきをもたらすことができる。
【発明の効果】
【００１３】
本発明によれば、関連する複数の機能のグループを容易に作成することができる。
【図面の簡単な説明】
【００１４】
【図１】本発明の実施形態に係る情報処理装置の機能構成を示す図である。
【図２】本発明の実施形態に係る情報処理装置のハードウェア構成を示す図である。
【図３】ショートカットアイコンのグループを作成する際の例を示す図である。
【図４】本発明の実施形態における関連機能テーブルの例を示す図である。
【図５】本発明の実施形態における関連機能テーブルの別の例を示す図である。
【図６】本発明の実施形態に係る情報処理装置で実行される機能グループ化方法の処理を示すフローチャートである。
【図７】本発明の実施形態に係る情報処理装置で実行される受信情報に基づく関連機能テーブルの記憶の処理を示すフローチャートである。
【発明を実施するための形態】
【００１５】
以下、図面とともに本発明による携帯端末及び機能グループ化方法の好適な実施形態について詳細に説明する。なお、図面の説明においては同一要素には同一符号を付し、重複する説明を省略する。
【００１６】
図１は、本実施形態の情報処理システム１の概要図である。情報処理システム１は、複数の情報処理装置１０と、外部サーバ２０とを含む。情報処理装置１０は、携帯電話端末であり、外部サーバ２０はＰＣ（Personal  Computer）であるが、これらに限らず、情報処理装置１０はＰＤＡ（Personal  Digital  Assistant）やＰＣ等であってもよいし、外部サーバ２０は携帯電話端末やＰＤＡ（Personal  Digital  Assistant）等であってもよい。情報処理装置１０と外部サーバ２０とは、インターネット等の通信回線網を介して接続されており、互いにデータの送受信を行うことができる。
【００１７】
図１の情報処理装置１０の構成を示すブロック図の通り、情報処理装置１０は、記憶部１１（記憶手段）、受付部１２（受付手段）、選択部１３（選択手段）、グループ化部１４（グループ化手段）、及び受信部１５（機能受信手段、レコード情報受信手段）を含んで構成されている。
【００１８】
情報処理装置１０は、ＣＰＵ等のハードウェアから構成されているものである。図２は、情報処理装置１０のハードウェア構成図である。図１に示される情報処理装置１０は、物理的には、図２に示すように、ＣＰＵ５１、主記憶装置であるＲＡＭ５２及びＲＯＭ５３、入出力デバイスであるタッチパネル５４、データ送受信デバイスである通信モジュール５５、補助記憶装置５６などを含むコンピュータシステムとして構成されている。
【００１９】
図１に示す情報処理装置１０の各機能ブロックの機能は、図２に示すＣＰＵ５１、ＲＡＭ５２等のハードウェア上に所定のコンピュータソフトウェアを読み込ませることにより、ＣＰＵ５１の制御のもとでタッチパネル５４及び通信モジュール５５を動作させるとともに、ＲＡＭ５２や補助記憶装置５６におけるデータの読み出し及び書き込みを行うことで実現される。
【００２０】
情報処理装置１０では、グラフィカルユーザインタフェースを備えるＯＳ（Operating  System）が稼動している。情報処理装置１０において、ユーザは、タッチパネル５４に表示されたアイコンをタップすることにより、アイコンに対応する機能を実行することができる。また、ユーザは、アイコンのショートカット先であるショートカットアイコンを作成することもできる。ショートカットアイコンとは、ショートカット元であるアイコンのアクセス先を格納するアイコンである。ユーザがショートカットアイコンをタップすることにより、ショートカットアイコンのショートカット元であるアイコンをタップすることと同様の効果を得ることができる。例えば、異なるフォルダ階層にある複数のアイコンについて、それぞれのショートカットアイコンを作成し、作成したショートカットアイコンを特定のフォルダ階層にグループ化して配置することで、ユーザの好みの機能を実行するためのショートカットアイコンを１箇所に集めることができる。それにより、例えば、ユーザの好みの複数の機能を実行する際に、ユーザは異なるフォルダ階層にある複数のアイコンにアクセスする必要が無くなり、ユーザの利便性が向上する。
【００２１】
図３を参照して、情報処理装置１０においてショートカットアイコンのグループを作成する手順について説明する。図３（ａ）は、タッチパネル５４に表示された画面においてアイコンが並んでいる状態を示す図である。まず、図３（ｂ）に示すように、ユーザが、並んでいるアイコンのうちアイコンＰを画面下方向にドラッグしたとする。すると図３（ｂ）に示すように、画面の下領域が新規グループ用の領域となり、新規グループの要素としてアイコンＰのショートカットアイコンＰｓが登録される。続いて、図３（ｃ）に示すように、ユーザがアイコンＱを新規グループ用の領域にドラッグすることでアイコンＱのショートカットアイコンＱｓがさらに新規グループの要素として追加される。同様にしてアイコンＲのショートカットアイコンＲｓがさらに新規グループの要素として追加される。このようにして、ユーザはショートカットアイコンＰｓ、Ｑｓ及びＲｓのグループを作成することができる。
【００２２】
以下、図１に示す機能ブロックに基づいて、各機能ブロックを説明する。
【００２３】
記憶部１１は、互いに関連する機能について、各機能の機能情報を関連付けた関連機能テーブルを記憶する。例えば、メール機能に関連する機能としては、「メール送信機能」、「メール受信機能」、及び「メール作成機能」が挙げられる。なお、機能はアプリケーションであってもよいし、データであってもよい。例えば、ゲームに関連するアプリケーションとしては、パズルゲームアプリケーションやシューティングゲームアプリケーションが挙げられ、特定の歌手に関連するデータとしては、その歌手による様々な音楽データが挙げられる。また、機能の機能情報とは、例えば機能の名称を表す文字列や、ＯＳにて管理されている当該機能のＩＤ番号等が挙げられる。
【００２４】
記憶部１１は、ユーザが最近使った機能、具体的には現時刻から過去の所定の時間以内にユーザが実行した機能について、各機能の機能情報を関連付けた関連機能テーブルを記憶してもよい。また、記憶部１１は、ユーザが一度も実行されていない機能について、各機能の機能情報を関連付けた関連機能テーブルを記憶してもよい。
【００２５】
図４は、記憶部１１によって記憶された関連機能テーブルの例を示す図である。図４において、互いに関連する機能の機能情報は、関連機能テーブルのレコード単位（関連機能グループ）に関連付けて登録される。例えば、関連機能グループ１として、プロフィール情報の赤外線送受信機能に関連する、「赤外線受信機能」、「赤外線送信機能」、及び「プロフィール表示機能」の機能情報が登録されている。同様にして、関連機能グループ２として、省電力機能に関連する、「省電力モード機能」、「点灯時間設定機能」、及び「タスクマネージャ機能」の機能情報が登録され、関連機能グループ３として、ネットワーク機能に関連する、「ＷｉＦｉ機能」、「ＧＰＳ機能」、及び「近距離無線通信機能」の機能情報が登録され、関連機能グループ４として、ゲームアプリケーションに関連する、「ゲームアプリケーション１」、「ゲームアプリケーション２」、及び「ゲームアプリケーション３」の機能情報が登録されている。
【００２６】
関連機能テーブルは、予め記憶部１１によって記憶されている。なお、関連機能テーブルに含まれる情報は、ユーザによって入力された情報で更新してもよいし、外部サーバ２０から定期的に取得された情報で更新してもよい。具体的には、記憶部１１は、後述の受信部１５によって受信された機能の機能情報で関連機能テーブルを更新してもよい。これにより、例えば、世間的に流行している機能や、アプリケーションのダウンロード販売を行っているアプリケーションマーケットにて評価が高いアプリケーション等で関連機能グループに機能を追加更新することができる。また、記憶部１１は、後述の受信部１５によって受信されたレコード情報を関連機能テーブルに追加して更新してもよい。これにより、世間的によく利用されている関連機能グループを丸ごと関連機能テーブルに追加することができる。
【００２７】
記憶部１１は、上述の関連機能テーブルとは別形態の関連機能テーブルとして、機能がユーザによって利用された際の、時間、位置情報及び電池残量のうち少なくとも一つを含む利用状況において互いに関連する機能について、各機能の機能情報及び当該利用状況の利用状況情報を関連付けた関連機能テーブルを記憶してもよい。ここで、利用状況情報とは、例えば利用状況を示す文字列等が挙げられる。
【００２８】
図５は、記憶部１１によって記憶された、利用状況において互いに関連する機能に関する関連機能テーブルの例を示す図である。例えば、図５に示す関連機能テーブルの１レコード目は、ユーザが情報処理装置１０を利用する時間が夜で、利用する場所が自宅である利用状況において、利用することが多い機能として、「マナー解除機能」及び「アラーム機能」等が関連機能として登録されている。利用状況の条件として、利用する際に電池残量が多い場合等の条件が含まれていてもよい。このように、図５に示す関連機能テーブルでは、特定の利用状況下においてユーザによってよく利用される機能が登録されている。なお、上述と同様に、本別形態の関連機能テーブルに含まれる情報は、ユーザによって入力された利用状況情報を含む情報で更新してもよいし、外部サーバ２０から定期的に取得された利用状況情報を含む情報で更新してもよい。また、記憶部１１は、ユーザが特定の利用状況にて頻繁に利用する機能、例えば所定の回数以上利用した機能の機能情報について、当該利用状況情報と関連付けて関連機能テーブルを記憶してもよい。
【００２９】
受付部１２は、機能に対するグループ化指示を受け付ける。例えば、機能に対応するアイコンに対するグループ化指示は、図３（ｂ）におけるアイコンＰの画面の下領域へのドラッグに該当する。なお、グループ化指示がなされる機能は一つでもよいし、複数でもよい。例えば、図３（ａ）に示す状態において、ユーザは、アイコンＰ、Ｑ及びＲの３つを同時に画面の下領域へのドラッグする、すなわちグループ化指示を出してもよい。
【００３０】
選択部１３は、受付部１２によって受け付けられたグループ化指示の対象である機能の機能情報に基づいて、記憶部１１によって記憶された関連機能テーブルから関連する機能情報を選択する。具体的には、選択部１３は、グループ化指示の対象である機能の機能情報と同一の機能情報が含まれる関連機能グループを関連機能テーブルから抽出し、抽出した関連機能グループのうちグループ化指示の対象である機能の機能情報以外の機能情報を選択する。なお、受付部１２によって複数の機能に対するグループ化指示が受け付けられた場合、選択部１３は、グループ化指示の対象である複数の機能の機能情報と同一の機能情報が全て含まれる関連機能グループを関連機能テーブルから抽出し、抽出した関連機能グループのうちグループ化指示の対象である複数の機能の機能情報以外の機能情報を選択する。
【００３１】
図４の関連機能テーブルを用いて具体例を説明する。受付部１２によって受け付けられたグループ化指示の対象が「プロフィール表示機能」であった場合、選択部１３は、「プロフィール表示機能」が含まれる関連機能グループ１を抽出し、関連機能グループ１に含まれる「赤外線受信機能」及び「赤外線送信機能」の機能情報を選択する。また、受付部１２によって受け付けられたグループ化指示の対象が「ＷｉＦｉ機能」及び「近距離無線通信機能」であった場合、選択部１３は、関連機能グループ３を抽出し、関連機能グループ３に含まれる「ＧＰＳ機能」の機能情報を選択する。
【００３２】
選択部１３は、更に、受付部１２によって受け付けられたグループ化指示がなされた際の利用状況の利用状況情報に基づいて、記憶部１１によって記憶された関連機能テーブルから関連する機能情報を選択してもよい。具体的には、選択部１３は、グループ化指示がなされた際の利用状況の利用状況情報と同一の利用状況情報が含まれるレコードを関連機能テーブルから抽出し、さらに、検索したレコードの関連機能にグループ化指示の対象である機能の機能情報と同一の機能情報が含まれるレコードを抽出し、抽出した関連機能のうちグループ化指示の対象である機能の機能情報以外の機能情報を選択する。なお、受付部１２によって複数の機能に対するグループ化指示が受け付けられた場合、選択部１３は、グループ化指示がなされた際の利用状況の利用状況情報と同一の利用状況情報が含まれるレコードを関連機能テーブルから抽出し、さらに、検索したレコードの関連機能にグループ化指示の対象である複数の機能の機能情報と同一の機能情報が全て含まれるレコードを抽出し、抽出した関連機能のうちグループ化指示の対象である複数の機能の機能情報以外の機能情報を選択する。
【００３３】
図５の関連機能テーブルを用いて具体例を説明する。受付部１２によって受け付けられたグループ化指示がなされた際の利用状況が「時間：夜、場所：自宅」であり、グループ化指示の対象が「マナー解除機能」であった場合、選択部１３は、１列目のレコードを抽出し、「アラーム機能」の機能情報を選択する。なお、受付部１２によって受け付けられたグループ化指示がなされた際の利用状況が「時間：夜、場所：自宅」であり、グループ化指示の対象が「ローミング設定機能」であった場合、選択部１３は、一致するレコードを抽出できないため、機能情報は選択しない。また、受付部１２によって受け付けられたグループ化指示がなされた際の利用状況が「時間：常時、場所：空港」であり、グループ化指示の対象が「ローミング設定機能」「プレフィックス設定機能」及び「ネットワーク海外設定機能」であった場合、選択部１３は、４列目のレコードを抽出し、「地図アプリ（海外）機能」及び「世界時計機能」の機能情報を選択する。
【００３４】
グループ化部１４は、受付部１２によって受け付けられたグループ化指示の対象である機能と、選択部１３によって選択された機能情報が示す機能とをグループ化する。具体的には、グループ化部１４は、受付部１２によって受け付けられたグループ化指示の対象である機能と、選択部１３によって選択された機能情報が示す機能とについて、それぞれのショートカットアイコンを作成し、作成したショートカットアイコンをグループ化する。例えば、上述の図４の関連機能テーブルを用いて具体例において説明したように、受付部１２によって受け付けられたグループ化指示の対象が「プロフィール表示機能」であり、選択部１３によって選択された機能情報が「赤外線受信機能」及び「赤外線送信機能」であった場合、グループ化部１４は、「プロフィール表示機能」、「赤外線受信」及び「赤外線送信」のそれぞれのショートカットアイコンを作成し、作成したショートカットアイコンをグループ化する。
【００３５】
グループ化部１４は、グループ化指示の対象であるアイコンに基づいたショートカットアイコンのグループを作成するとしたが、これに限るものではない。例えば、グループ化部１４は、グループ化指示の対象であるアイコンに基づいたアイコンのグループを作成してもよい。この場合、グループ化指示の対象であるアイコン自体は削除され、実質的には、グループ化指示の対象であるアイコンがグループ化されたアイコンが配置されるフォルダに移動することになる。また、例えば、グループ化部１４は、グループ化指示の対象であるショートカットアイコンに基づいたショートカットアイコンのグループを作成してもよい。この場合、グループ化指示の対象であるショートカットアイコンのショートカット元であるアイコンに対応する機能に基づいて、選択部１３により関連する機能が選択され、選択された機能に対応するアイコンのショートカットアイコンが作成され、グループ化される。
【００３６】
受信部１５は、定期的に、あるいはユーザから受信指示があった際に、機能を外部サーバ２０から受信する。外部サーバ２０は、例えば、世間的に流行している機能や、アプリケーションのダウンロード販売を行っているアプリケーションマーケットにて評価が高いアプリケーション等を保持し、受信部１５は、外部サーバ２０に保持されている機能を受信する。また、記憶部１１によって記憶されている関連機能テーブルに、機能情報だけ登録しておき、実際の機能本体は情報処理装置１０には保持せず、外部サーバ２０にて機能本体を保持してもよい。その場合、情報処理装置１０において機能本体を保持していない機能情報に基づいて対応する機能を実行する際に、受信部１５によって対応する機能本体を外部サーバ２０から受信し、受信した機能本体を実行する。
【００３７】
また、受信部１５は、定期的に、あるいはユーザから受信指示があった際に、関連機能テーブルのレコード単位の情報であるレコード情報（関連機能グループ）を外部サーバ２０から受信する。外部サーバ２０は、例えば、世間的によく利用されている関連機能グループを保持し、受信部１５は、外部サーバ２０に保持されている関連機能グループを受信する。外部サーバ２０は、世間的によく利用されている関連機能グループを収集するために、外部サーバ２０に接続された各情報処理装置１０から、各情報処理装置１０の記憶部１１によって記憶された関連機能テーブルの情報を取得する。受信部１５が各情報処理装置１０から取得する情報には、機能情報、機能利用時の時間、位置情報、及び電池残量などが含まれる。そして、受信部１５は、所定の数の情報処理装置１０で利用されている関連機能グループを、世間的によく利用されている関連機能グループとして保持する。
【００３８】
次に、図６及び７を用いて、本実施形態の情報処理装置１０の処理について説明する。図６は、情報処理装置１０で実行される機能グループ化方法の処理を示すフローチャートである。図７は、情報処理装置１０で実行される受信情報に基づく関連機能テーブルの記憶の処理を示すフローチャートである。
【００３９】
最初に図６のフローチャートについて説明する。まず、記憶部１１により、互いに関連する機能について、各機能の機能情報を関連付けた関連機能テーブルが記憶される（Ｓ０１、記憶ステップ）。次に、受付部１２により、機能に対するグループ化指示が受け付けられる（Ｓ０２、受付ステップ）。次に、選択部１３により、Ｓ０２において受け付けられたグループ化指示の対象である機能の機能情報に基づいて、Ｓ０１において記憶された関連機能テーブルから関連する機能情報が選択される（Ｓ０３、選択ステップ）。次に、グループ化部１４により、Ｓ０２によって受け付けられたグループ化指示の対象である機能と、Ｓ０３によって選択された機能情報が示す機能とがグループ化される（Ｓ０４、グループ化ステップ）
【００４０】
次に、図７のフローチャートについて説明する。まず、受信部１５により、外部サーバ２０から情報が受信される（Ｓ１１）。次に、情報処理装置１０により、Ｓ１１にて受信された情報の種類が判定される（Ｓ１２）。Ｓ１２において、受信された情報が機能情報であると判定された場合、記憶部１１により、受信された機能情報で関連機能テーブルが更新される（Ｓ１３）。Ｓ１２において、受信された情報がレコード情報であると判定された場合、記憶部１１により、受信されたレコード情報で関連機能テーブルが更新される（Ｓ１４）。Ｓ１２において、受信された情報が機能情報及びレコード情報以外であると判定された場合、処理を終了する。
【００４１】
次に、このように構成された情報処理装置１０の作用効果について説明する。
【００４２】
本実施形態の情報処理装置１０によれば、記憶部１１により、互いに関連する機能について、各機能の機能情報を関連付けた関連機能テーブルが記憶され、受付部１２により、機能に対するグループ化指示が受け付けられ、選択部１３により、受け付けられたグループ化指示の対象である機能の機能情報に基づいて、記憶された関連機能テーブルから関連する機能情報が選択され、グループ化部１４により、受け付けられたグループ化指示の対象である機能と、選択された機能情報が示す機能とがグループ化される。これにより、ユーザが機能に対するグループ化指示を行うだけで、関連する複数の機能のグループを容易に作成することができる。
【００４３】
本実施形態の情報処理装置１０によれば、グループ化部１４により、受け付けられたグループ化指示の対象である機能と、選択された機能情報が示す機能とについて、それぞれのショートカットアイコンが作成され、作成されたショートカットアイコンがグループ化される。これにより、ユーザが機能に対するグループ化指示を行うだけで、関連する複数の機能のショートカットアイコンのグループを容易に作成することができる。なお、グループ化部１４は、関連する複数の機能のショートカットアイコンの替わりに、関連する複数の機能のアイコンを作成してもよい。この場合、グループ化指示の対象であるアイコンは、新しく作成されたグループ内に統合（移動）される。
【００４４】
本実施形態の情報処理装置１０によれば、記憶部１１により、機能がユーザによって利用された際の、時間、位置情報及び電池残量のうち少なくとも一つを含む利用状況において互いに関連する機能について、各機能の機能情報及び当該利用状況の利用状況情報を関連付けた関連機能テーブルが記憶され、選択部１３により、更に、受け付けられたグループ化指示がなされた際の利用状況の利用状況情報に基づいて、記憶された関連機能テーブルから関連する機能情報が選択される。これにより、ユーザが機能に対するグループ化指示を行うだけで、その際の利用状況に基づいた、関連する複数の機能のグループを容易に作成することができる。
【００４５】
本実施形態の情報処理装置１０によれば、受信部１５により、機能が外部サーバ２０から受信され、記憶部１１により、受信された機能の機能情報を含む関連機能テーブルが記憶される。これにより、例えば、世間でよく利用されている機能を受信し、関連機能テーブルに含めて記憶することで、世間でよく利用されている機能を含む、関連する複数の機能のグループを容易に作成することができる。それにより、ユーザに新たな気づきをもたらすことができる。
【００４６】
本実施形態の情報処理装置１０によれば、受信部１５により、関連機能テーブルのレコード単位の情報であるレコード情報が外部サーバ２０から受信され、記憶部１１により、受信されたレコード情報が関連機能テーブルに追加して記憶される。これにより、例えば、世間でよく利用されている互いに関連する機能に関するレコード情報を受信し、関連機能テーブルに追加して記憶することで、世間でよく利用されている関連する複数の機能のグループを容易に作成することができる。それにより、ユーザに新たな気づきをもたらすことができる。
【００４７】
なお、本実施形態の情報処理装置１０において、一例として、機能に対応するアイコンに対するグループ化指示は、タッチパネル５４に表示されたアイコンの画面の下領域へのドラッグに該当すると説明したが、これに限るものではない。例えば、入力デバイスとして上下左右方向の指示を出すことができる十字キーと決定キーとを備えた情報処理装置１０であって、決定キーの押下によりアイコンを選択した後に、十字キーの押下により指示した方向にアイコンを移動することができる情報処理装置１０において、機能に対応するアイコンに対するグループ化指示は、アイコンの画面の下領域への決定キー及び十字キー入力による移動に該当してもよい。
【符号の説明】
【００４８】
１…情報処理システム、１０…情報処理装置、１１…記憶部、１２…受付部、１３…選択部、１４…グループ化部、１５…受信部、２０…外部サーバ。
【図１】
0005801090.tif 000002
【図２】
0005801090.tif 000003
【図３】
0005801090.tif 000004
【図４】
0005801090.tif 000005
【図５】
0005801090.tif 000006
【図６】
0005801090.tif 000007
【図７】
0005801090.tif 000008